(57)【要約】【課題】環部に挿通されるバンドの締結操作性を向上させ、しかもバンド先端部の耐久性を向上させるようにしたヘルメット用顎バンドを提供する。【解決手段】ヘルメットの両側部に設けられて、着用者の顎を拘束する１対のバンド１，２であって、一方のバンド１の先端に設けられた環部に、他方のバンド２の先端を通して引締めることにより、締め具合を調節するようにしたヘルメット用顎締めバンドにおいて、他方側のバンド２の先端部の周縁を合成樹脂製の縁枠７で一体に覆うとともに、該バンドの先端部における縁枠７の中央部に縦方向の隙間ｄを設けた。【選択図】      図２
2009275298.tif 000002
【特許請求の範囲】
【請求項１】
ヘルメットの両側部に設けられて、着用者の顎を拘束する１対のバンドであって、一方のバンド先端に設けられた環部に、他方のバンドの先端を通して引締めることにより、締め具合を調節するようにしたヘルメット用顎締めバンドにおいて、
前記他方側のバンドの先端部の周縁を合成樹脂製の縁枠で一体に覆うとともに、該バンドの先端部における縁枠の中央部に縦方向の隙間若しくは凹溝を設けたことを特徴とするヘルメット用顎バンド。
【請求項２】
前記他方側のバンドの先端部の周縁は、円弧状に形成されていることを特徴とする請求項１に記載のヘルメット用顎バンド。
【請求項３】
前記縁枠は、ナイロンなどの硬質合成樹脂により形成され、前記隙間の左右に分離して形成された左右一対の縁枠部分が、隙間を中心として折り込めるようにしたことを特徴とする請求項１又は２に記載のヘルメット用顎バンド。
【請求項４】
前記縁枠の少なくとも先端部分は、基部よりも肉薄突出状とされていることを特徴とする請求項１乃至３のいずれか１項記載のヘルメット用顎バンド。
【請求項５】
前記縁枠の表裏には、前記バンドの表裏に対面して凹孔が形成されていることを特徴とする請求項１乃至４のいずれか１項記載のヘルメット用顎バンド。
【請求項６】
前記バンドの先端部の周縁が、溶融溶断加工により薄肉状に固化されていることを特徴とする請求項１乃至５のいずれか１項記載のヘルメット用顎バンド。
【発明の詳細な説明】
【技術分野】
【０００１】
本発明は、ヘルメット用顎バンドに関し、特にＤ環に挿通されるバンド先端部の挿通操作の容易性と、ほつれ防止機能を備えたものに関する。
【背景技術】
【０００２】
ヘルメットは、帽体とその内側に隙間を設けて連結された衝撃吸収用のヘッドバンドと、ヘッドバンドの両側部に一端結合され、他端を着用者の顎位置で結合する１対の顎バンドを備える。この顎バンドの締結方式として、図７に示すように、一方のバンドの一端に設けられた１対のＤ環ａの間に、他方のバンドｂの先端を直接挿通し、挿通端を折返して引締めることによって、締め具合を調節する構造のものがある。この構造では、Ｄ環ａに通される他方のバンドｂの先端が繰返し摩擦により、ささくれが生じ、Ｄ環に挿通しにくいものとなる。特にバイク用ヘルメットでは、安全性のため、バンドｂの先端幅とＤ環ａの内寸とが略同一寸法となっているため、さらに通しにくいものとなる。
【０００３】
このため、従来では、同図７（ａ）に示すように、Ｄ環ａに挿通される熱可塑性合成樹脂織物よりなるバンドｂの先端周囲を超音波または高周波溶着手段により、円弧状に溶融溶断し、Ｄ環に対する挿入を容易にするとともに、溶断箇所の繊維同士が互いに溶着した薄肉部ｂ１を形成することにより、繊維がほつれにくい構造としている。
【発明の開示】
【発明が解決しようとする課題】
【０００４】
しかし、このような工夫だけでは、Ｄ環ａに対する挿抜を繰返すことにより、擦過されるため、長期使用していると、挿抜の都度先端部が損耗して、図７（ｂ）に示すように、薄肉部ｂ１における溶着箇所が分離して前記と同様に、バラバラにささくれ立ち、耐久性に乏しいものとなっていた。
【０００５】
なお、このように先端を損傷したバンドでは、他の箇所が健全であっても、バンドに付随する金具なども含めて全体を交換する必要が生じ、不経済であった。
【０００６】
そこで本発明は、以上の課題を解決するためになされたものであって、その目的とするところは、Ｄ環に挿通されるバンドの締結操作性を向上させ、しかもバンド先端部の耐久性を向上させるようにしたヘルメット用顎バンドを提供するものである。
【課題を解決するための手段】
【０００７】
前目的を達成するため、本発明では、ヘルメットの両側部に設けられて、着用者の顎を拘束する１対のバンド１，２であって、一方のバンド１の先端に設けられた１対のＤ環６よりなる環部に、他方のバンド２の先端を通して引締めることにより、締め具合を調節するようにしたヘルメット用顎締めバンドにおいて、
前記他方側のバンド２の先端部の周縁を合成樹脂製の縁枠７で一体に覆うとともに、該バンドの先端部における縁枠７の中央部に縦方向の隙間ｄを設けたことを特徴とする。
隙間ｄは、隙間ｄを中心として折り曲げできる形状であれば、縁枠７の表裏の一部に形成してもよく、また凹溝状に形成しても良い。
【０００８】
上記の構成により、バンド２の先端部は縁枠７により補強され、耐久力が向上している。しかも、隙間ｄを中心として、内方向に所定角度に折り込み状又は二つ折り状として、バンドの幅を小径として環部に挿通でき、左右バンドの締めつけ時の挿通作業性及び締め付け操作性が向上している。
【０００９】
前記他方側のバンド２の先端部の周縁は、円弧状に形成されていることが、挿入性の点で有利である。バンド２の先端部は、角形、先端両角をアール形状とした角形、凸状に形成させることもできる。。
【００１０】
前記縁枠７は、ナイロンなどの硬質合成樹脂により形成され、前記隙間ｄの左右に分離して形成された左右一対の縁枠部分が、隙間ｄを中心として折り曲げ状若しくは二つ折り状に折り込めるようにしたことを特徴とする。
【００１１】
前記縁枠７の円弧状に突出した先端部分７ａは、基部よりも肉薄突出状とされていることが、挿入操作性の点で望ましい。
【００１２】
前記縁枠７の表裏には、前記バンド２の表裏に対面して１個又は複数個（図では左右の縁枠部分に３個づつ）の凹孔８が形成されている。
【００１３】
この凹孔８の存在により、縁枠７を構成する合成樹脂とバンド２の表面との間に、強度的な不連続部分が生じ、縁枠７がバンド２の縁から容易に脱落しないようになっている。  凹孔８は、バンド２に縁枠７を射出成形により形成させる時に、バンド２を金型内で押さえる為のピンにより形成させる。
【００１４】
前記バンド２の先端部の周縁が、縁枠７の成形加工前に、溶融溶断加工により薄肉状に固化されて薄肉部２ａとされていることが望ましい。
【発明の効果】
【００１５】
本発明によると、バンドの先端縁部が合成樹脂製の縁枠で覆われることにより、当該箇所の損耗度合が緩和され、耐久性に富むものとなる。しかも、バンドの先端部を内方向に折り曲げた状態で環部に挿通でき、挿通時の操作性が良好となるとの優れた効果が得られる。
【００１６】
本発明において、縁枠の成型時において、溶融樹脂がバンドの繊維表面に含浸するだけでなく、ピンの周囲で繊維の陥没に伴う凹孔が生ずるようにすることにより、樹脂のアンカー効果が生じ、バンドと縁枠との接合強度が極めて高いものとなる。
【発明を実施するための最良の形態】
【００１７】
図１〜図４は、本発明に係るヘルメット用顎バンドの第１の実施の形態を示している。図１において、顎バンドは、図示しない帽体の内側に隙間を設けて配置された頭部保護用ヘッドバンドなどの両側部に一端接合され、着用者の顎位置で挿抜可能に装着される１対の合成樹脂平織繊維からなる所定幅のバンド１、２を備える。
【００１８】
各バンド１、２のヘッドバンドなどに対する取付端にはそれぞれ取付用金具３が装着されている。また、各取付金具３の近傍から所定の長さで両バンド１、２の着用者の頬に対する接触面となる裏面側には、クッション性のある所定厚みの保護用パッド４が配置されているとともに、表面側には天然または人工皮革製の表面保護材５が配置され、両者の長手方向両側を縫合することにより、各バンド１，２の表裏を包囲している。なお、この保護用パッド４および表面保護材５は、各バンド１，２の長手方向には連結されておらず、引張り力（あるいは支持力）は専ら各バンド１，２が分担する。
【００１９】
一方のバンド１の他方のバンド２に対する結合端には、表裏でややずらした状態で１対のＤ環６が積層状態に装着されている。このＤ環の内寸は、両バンド１，２の幅とほぼ同一寸法であり、前記一方の保護用パッド４は、このＤ環６の裏面まで延設されており、両バンド１，２の結合位置で着用者の皮膚に対するクッション効果を得るようにしている。
【００２０】
他方のバンド２の長さは、着用者の長さ調整分だけ、一方のバンド１の長さより長めに形成されたものであり、その先端部を図１（ｂ）の矢印に示すように、下部側のＤ環６に挿通し、上部側Ｄ環６をくぐらせた状態で手前側に引くことによって、着用者の顎に合わせて長さ調整可能に連結している。
【００２１】
このバンド２の破線で示す先端部周縁は、予め高周波、あるいは超音波加工により円弧状に溶融溶断加工された薄肉部２ａが形成され、この薄肉部２ａの上下および周縁を覆った状態、かつ、円弧状の中央部に所定隙間ｄを残してその両側部を左右一対の円弧状の縁枠７がインサート成形により一体化されている。
【００２２】
縁枠７は、ナイロンなどの熱可塑性であって耐摩耗性に富む硬質合成樹脂素材からなるものであり、バンド２とほぼ同一幅であって、その先端部分７ａが図２、図３に示すように、先端部側に向けて所定の傾斜で薄肉化しているとともに、バンド２の先端より大きく突出させて形成されており、また、上下方向に複数の後述するピン穴よりなる凹孔８が開口されている。
【００２３】
以上において、縁枠７が硬質であっても、図４（ａ）に示すように、バンド２が平坦の状態から同図（ｂ）に示すように、指先で先端部両側を摘むことにより、中央部の隙間ｄを基点として互いに幅を縮める方向に折り曲げるように可撓変形させることが可能であり、これによって、Ｄ環６にベルト２の先端を挿通する際の操作の容易化を図っている。また、縁枠７の厚みが実質的に薄くても、バンド２に対するインサート箇所が薄肉部２ａとなっているため、耐久性を確保する上で十分な厚みに成型できる一方で、Ｄ環６に対する挿抜時の操作性にも支障がないものとなる。
【００２４】
各凹孔８は、インサート成型時におけるバンド２の金型内位置決め用のピンを挿通するための孔であり、バンド２を貫通はしていないが、この凹孔８周囲において、ピンがバンド２の上下面に食込むことにより、その食込み部分の穴底部周縁に樹脂が回り込むことによるアンカー効果により、形成された縁枠７のバンド２に対する結合強化を図っている。
【００２５】
図５は、本発明の第２の実施の形態を示している。
第２の実施の形態では、縁枠１７の隙間ｄに対面する側の縁が、湾曲状、すなわち、下部略ハ字状、上部略逆略ハ字状に形成されている。これにより、環部への折り曲げ挿通操作が一層容易となる。
【００２６】
図６は、縁枠７のインサート成形手順を示している。図６（ａ）に示すように型開状態で、成型用の下型１０のキャビティ１１内には、位置決め用の複数の固定ピン１２が突出し、この上部にバンド２の先端を位置決め設置する。
【００２７】
その後は、上型１４を下降させるが、（ｂ）に示すように、上型１４のキャビティ１５内に突出する位置決め用の可動ピン１６を先行して下降し、ピン１２，１６同士をバンド２を介して突合わせ、バンド２を固定する。これによりピン１２，１６の突合わせ位置ではバンド２は上下に圧縮され、この状態で、（ｃ）に示すように、上型１４を下型１０に係合し、両型１０，１４間のパーティング面を閉じる。
【００２８】
その後は、（ｄ）に示すように、図示しないランナ、ゲートを通じてキャビティ１１，１５内に樹脂を射出すれば、図示のごとく、ピン１２，１６の周縁部まで樹脂が廻り込んだ状態で、縁枠７のインサート成形が完了する。樹脂の冷却固化後は、上型１４、ピン１６を上昇するとともに図示しないノックアウトピンなどにより、バンド２ごと縁枠７を下型１０から突出せば、１成形サイクルを終了することになる。
【００２９】
なお、本実施形態では、一例として、バンド１，２の幅にほぼ等しい内寸のＤ環６を備えたバイク用ヘルメットに用いる顎バンドに適用した場合を示したが、他のヘルメット、例えば、安全ヘルメットや工事用ヘルメットの顎バンドにも適用できることは勿論である。
【図面の簡単な説明】
【００３０】
【図１】（ａ），（ｂ）は本発明を適用したヘルメット用顎バンドの分離状態と、接合状態を示す平面図である。
【図２】Ｄ環に連結されるバンドの斜視図と円内を拡大して示す斜視図である。
【図３】図２のＡ−Ａ線断面図である。
【図４】（ａ），（ｂ）はバンド先端部を示す図３のＢ矢視図と、変形させた状態を示す説明図である。
【図５】本発明を適用したヘルメット用顎バンドの他の実施の形態をしめす要部の拡大図である。
【図６】（ａ）〜（ｄ）は同インサート成形手順を示す説明用断面図である。
【図７】（ａ）、（ｂ）は従来のヘルメット用顎バンドの不具合を示す部分平面図である。
【符号の説明】
【００３１】
１，２  バンド
２ａ  薄肉部
３  取付金具
４  保護用パッド
５  表面保護材
６  Ｄ環
７  縁枠、７ａ  先端部分
８  凹孔
１０  下型
１１、１５  キャビティ
１２  固定ピン
１４  上型
１６  可動ピン
ｄ  隙間
【図１】
2009275298.tif 000003
【図２】
2009275298.tif 000004
【図３】
2009275298.tif 000005
【図４】
2009275298.tif 000006
【図５】
2009275298.tif 000007
【図６】
2009275298.tif 000008
【図７】
2009275298.tif 000009